(57)【特許請求の範囲】
【請求項１】
異なる２つの方向に配列された複数の画素を駆動するための回路であって、
前記２つの方向のうちの１の方向に沿って第１のパルス信号を複数画素分ずつ移動させながら順次出力するパルス移動手段と、
前記パルス移動手段から出力された第１のパルス信号を基に、前記２つの方向のうちの他の方向に沿って配列された画素列を個別に駆動するためのより多くの第２のパルス信号を生成する個別駆動パルス生成手段と、
前記パルス移動手段と前記個別駆動パルス生成手段との間に設けられ、パルス移動手段から個別駆動パルス生成手段に対して前記第１のパルス信号を供給するか否かを切替可能な切替手段と
を備えたことを特徴とする画素駆動回路。
【請求項２】
前記切替手段は、表示切替信号に応じて、前記他の方向に沿って配列された画素列のうちの一部の画素列が選択的に非駆動状態となるように、前記第１のパルス信号を供給するか否かの切替を行う
ことを特徴とする請求項１記載の画素駆動回路。
【請求項３】
異なる２つの方向に配列された複数の画素と、
前記２つの方向のうちの１の方向に沿って第１のパルス信号を複数画素分ずつ移動させながら順次出力するパルス移動手段と、
前記パルス移動手段から出力された第１のパルス信号を基に、前記２つの方向のうちの他の方向に沿って配列された画素列を個別に駆動するためのより多くの第２のパルス信号を生成する個別駆動パルス生成手段と、
前記パルス移動手段と前記個別駆動パルス生成手段との間に設けられ、パルス移動手段から個別駆動パルス生成手段に対して前記第１のパルス信号を供給するか否かを切替可能な切替手段と
を備えたことを特徴とする駆動回路一体型画素集積装置。
【請求項４】
前記切替手段は、表示切替信号に応じて、前記他の方向に沿って配列された画素列のうちの一部の画素列が選択的に非駆動状態となるように、前記第１のパルス信号を供給するか否かの切替を行う
ことを特徴とする請求項３記載の駆動回路一体型画素集積装置。
【発明の詳細な説明】
【０００１】
【発明の属する技術分野】
本発明は、例えばマトリクス状に配置された画素を選択的に駆動するための画素駆動回路、およびそのような画素駆動回路を含んで構成された駆動回路一体型画素集積装置に関する。
【０００２】
【従来の技術】
近年、ＣＲＴ（陰極線管）に並ぶ画像表示装置として、液晶表示装置の普及が著しい。この装置は、水平方向および垂直方向に画素をマトリクス状に配置すると共に、水平および垂直方向のそれぞれについてシフトレジスタを配置して構成したもので、垂直方向のシフトレジスタから垂直方向選択パルスを垂直方向に順次転送しながら出力して画素ライン（水平方向に並んだ画素配列）を選択するごとに、水平方向のシフトレジスタから水平方向選択パルスを水平方向に順次転送しながら出力して垂直方向選択パルスにより選択された画素ラインの画素を水平方向に走査しながら順次選択するという動作を繰り返すことにより、全画素に信号を書き込むようになっている。
【０００３】
ところで、この種の画像表示装置においては、ＣＲＴを用いた画像表示装置と同様に様々な規格の画像信号に対応し得るようにすべく、画像信号の種類に応じて表示領域のサイズを変化させることができるようにしたマルチスキャン対応の表示装置が知られている。この種の装置で用いられる方法には、全画面のうち表示を行わない非表示領域（例えば画面の上下部分）については、垂直方向選択パルスを供給しないようにして黒くすることにより、表示領域サイズを調整する方法がある。この方法によれば、画像信号自体に手を加える必要がないので、画像信号処理のための制御回路や画像メモリ等が不要であり、さほどコストアップを伴わずに済むという利点がある。
【０００４】
【発明が解決しようとする課題】
上記した従来の画像表示装置では、垂直方向のシフトレジスタにおける各転送段は垂直方向の各画素ラインにそれぞれ対応して設けられており、垂直方向に１段ずつパルスを転送しながらこれを出力する構成となっていた。しかしながら、最近では、表示画像の高精細化の要請に伴って画素ピッチの一層の狭小化が求められると、従来のように１画素ライン分の幅のなかにシフトレジスタの１つの転送段の回路を配置しようとしても面積が不十分となり、実現は困難である。仮に、半導体素子の微細化技術の向上により、そのような高密度配置が可能になったとしても、各画素ラインごとにシフトレジスタの転送段を配置するようにした場合には、シフトレジスタ全体として必要なトランジスタ等の半導体素子の数を削減できないので、消費電流を低減できない。さらに、従来のように各画素ラインごとにシフトレジスタのパルス転送を行うようにした場合には、画素ラインの数を増加しようとするとシフトレジスタの各転送段間の転送速度を高速化する必要が生じるため、各転送段の回路やその他の部分の回路を構成する半導体素子の動作速度をより高速化する（駆動周波数をより高くする）必要が生じる。
【０００５】
また、上記した従来のマルチスキャン対応の表示装置では、全画面のうち非表示領域の画素ラインへの選択パルス供給を停止させるために、各画素ラインごとに開閉用のスイッチ素子を設けるようになっていたので、各段ごとの素子数が増大し、駆動回路全体としての消費電流が増大する。特に、画素ピッチの一層の狭小化が求められている状況下では、上記のように１画素ライン分の幅のなかにシフトレジスタの１つの転送段の回路を配置することさえ困難であるところ、さらにスイッチ素子を各画素ラインごとに配置することは不可能に近い。
【０００６】
このように、従来の画像表示装置では、現状以上に画素ピッチの狭小化と画素数の増大とを図ることが困難であると共に、駆動回路を構成する素子を高速化する必要があるという問題があった。
【０００７】
本発明はかかる問題点に鑑みてなされたもので、その目的は、駆動用の構成素子の数の増加と動作速度のさらなる高速化とを必要とせずに、画素ピッチの狭小化と画素数の増大とを容易に実現することができる画素駆動回路および駆動回路一体型画素集積装置を提供することにある。
【０００８】
【課題を解決するための手段】
本発明の画素駆動回路は、異なる２つの方向に配列された複数の画素を駆動するための回路であって、２つの方向のうちの１の方向に沿って第１のパルス信号を複数画素分ずつ移動させながら順次出力するパルス移動手段と、パルス移動手段から出力された第１のパルス信号を基に、２つの方向のうちの他の方向に沿って配列された画素列を個別に駆動するためのより多くの第２のパルス信号を生成する個別駆動パルス生成手段と、パルス移動手段と個別駆動パルス生成手段との間に設けられ、パルス移動手段から個別駆動パルス生成手段に対して第１のパルス信号を供給するか否かを切替可能な切替手段とを備えている。ここで、切替手段が、表示切替信号に応じて、他の方向に沿って配列された画素列のうちの一部の画素列が選択的に非駆動状態となるように第１のパルス信号を供給するか否かの切替を行うように構成することが可能である。
【０００９】
本発明の駆動回路一体型画素集積装置は、異なる２つの方向に配列された複数の画素と、２つの方向のうちの１の方向に沿って第１のパルス信号を複数画素分ずつ移動させながら順次出力するパルス移動手段と、パルス移動手段から出力された第１のパルス信号を基に、２つの方向のうちの他の方向に沿って配列された画素列を個別に駆動するためのより多くの第２のパルス信号を生成する個別駆動パルス生成手段と、パルス移動手段と個別駆動パルス生成手段との間に設けられ、パルス移動手段から個別駆動パルス生成手段に対して第１のパルス信号を供給するか否かを切替可能な切替手段とを備えている。ここで、切替手段が、表示切替信号に応じて、他の方向に沿って配列された画素列のうちの一部の画素列が選択的に非駆動状態となるように第１のパルス信号を供給するか否かの切替を行うように構成することが可能である。
【００１０】
本発明の画素駆動回路または駆動回路一体型画素集積装置では、パルス移動手段によって１の方向に沿って第１のパルス信号が複数画素分ずつ移動しながら順次出力されると共に、個別駆動パルス生成手段によって第１のパルス信号を基に２つの方向のうちの他の方向に沿って配列された画素列を個別に駆動するための第２のパルス信号が生成される。また、パルス移動手段と個別駆動パルス生成手段との間に切替手段が設けられているため、パルス移動手段から個別駆動パルス生成手段に対して第１のパルス信号を供給するか否かを切り替えることが可能となり、これにより、上記の他の方向に沿って配列された画素列のうちの有効な画素列の範囲、すなわち、表示可能領域の切り替えが可能となる。この場合、切替手段では、例えば、表示切替信号に応じて他の方向に沿って配列された画素列のうちの一部の画素列が選択的に非駆動状態となるように、第１のパルス信号を供給するか否かの切替がなされる。
【００１１】
【発明の実施の形態】
以下、本発明の実施の形態について図面を参照して詳細に説明する。なお、以下の説明では、本発明を、画素部と画素駆動回路とを同一基板上に一体に形成したカラー液晶表示装置に適用する場合について説明する。
【００１２】
［第１の実施の形態］
図１は本発明の一実施の形態に係るカラー液晶表示装置（以下、単に液晶表示装置という。）の概略構成を表すもので、いわゆるアクティブマトリクス方式で駆動されるものである。図１に示したように、この装置は、液晶パネル１０と、信号ドライバ２０と、タイミング発生部３０とを備えている。液晶パネル１０には、後述する画素部１１（図２）等が搭載されている。信号ドライバ２０は、入力されるビデオ入力信号ＢＳIN，ＲＳIN，ＧＳINに所定の信号変換を行って、液晶パネル１０におけるＢ（青），Ｒ（赤），Ｇ（緑）の各色用画素（本図では図示せず）を駆動するためのビデオ信号ＢＳ，ＲＳ，ＧＳを出力すると共に、液晶パネル１０の図示しない対向電極に印加される共通電位信号ＶＣＯＭを出力するようになっている。タイミング発生部３０は、複合同期信号等の同期信号ＳＹＮＣに基づいて各種のタイミング信号ＨＳＴ，ＨＣＫ，２ＶＳＴ，２ＶＣＫ，ＦＲＰ，ＳＨＳを発生するようになっている。
【００１３】
ここで、ＨＳＴは、液晶パネル１０の後述する水平方向シフトレジスタのスタートパルス（以下、Ｈスタートパルスという。）を示し、ＨＣＫは、水平方向シフトレジスタを駆動するクロックパルス（以下、Ｈクロックパルスという。）を示す。２ＶＳＴは、液晶パネル１０の後述する垂直方向シフトレジスタのスタートパルス（以下、Ｖスタートパルスという。）を示し、２ＶＣＫは、垂直方向シフトレジスタを駆動するクロックパルス（以下、Ｖクロックパルスという。）を示す。また、ＦＲＰは、信号ドライバ２０がビデオ入力信号ＢＳIN，ＲＳIN，ＧＳINを所定の直流電圧を中心とする交流のビデオ信号ＢＳ，ＲＳ，ＧＳに変換するのに用いられる反転・非反転選択信号を示し、ＳＨＳは，信号ドライバ２０がビデオ信号ＢＳ，ＲＳ，ＧＳの位相を設定するのに用いるサンプルホールド信号を示す。
【００１４】
図２は液晶パネル１０の一構成例を表すものである。この図に示したように、液晶パネル１０は、画素部１１と、水平スイッチ部１２および水平方向シフトレジスタ１３（以下、Ｈシフトレジスタ１３という。）を含む水平駆動回路と、垂直方向シフトレジスタ１４１（以下、Ｖシフトレジスタ１４１という。本図では図示せず）を含む垂直駆動回路１４とを備えている。Ｈシフトレジスタ１３には、図１に示したＨスタートパルスＨＳＴおよびＨクロックパルスＨＣＫが入力され、垂直駆動回路１４のＶシフトレジスタには、図１に示したＶスタートパルス２ＶＳＴおよびＶクロックパルス２ＶＣＫが入力されるようになっている。
【００１５】
画素部１１は、液晶セルやスイッチング素子等からなる画素をマトリクス状に配列して構成され、これらの各画素を選択的に駆動することにより画像を表示できるようになっている。スイッチング素子としては、例えば薄膜トランジスタ（ＴＦＴ）等が用いられる。図２に示した例では、画素部１１は、水平方向にＮ個の画素ＢＤ（１，ｊ），ＲＤ（２，ｊ），ＧＤ（３，ｊ），……，ＧＤ（Ｎ，ｊ）〔ｊ＝１〜Ｍ〕を配列すると共に、垂直方向にＭ個の画素ＢＤ（１，１）〜（１，Ｍ），ＲＤ（２，１）〜（２，Ｍ），ＧＤ（３，１）〜（３，Ｍ），……，ＧＤ（Ｎ，１）〜（Ｎ，Ｍ）を配列して構成されている。ここで、ＢＤ，ＲＤ，ＧＤはそれぞれ青，赤，緑用の画素であることを示す。
【００１６】
水平スイッチ部１２は、Ｎ個の水平スイッチ１２（１）〜１２（Ｎ）を含んで構成され、信号ドライバ２０（図１）から入力されたビデオ信号ＢＳ，ＲＳ，ＧＳを画素部１１に選択的に供給する機能を有している。Ｎ個の水平スイッチ１２（１）〜１２（Ｎ）は３個ずつのグループに分けられている。各グループの３個の水平スイッチはＨシフトレジスタ１３の各転送段に共通（並列）接続されている。そして、これらのグループのそれぞれに対して、Ｈシフトレジスタ１３の各転送段から所定の時間間隔で水平方向選択パルスが順次供給されるようになっている。ここにいう所定の時間間隔は、タイミング発生部３０（図１）からＨシフトレジスタ１３に供給されるＨクロックパルスＨＣＫの周期によって定まるものである。各グループの３個の水平スイッチには、それぞれに対応して、図１の信号ドライバ２０からビデオ信号ＢＳ，ＲＳ，ＧＳが供給されるようになっている。
【００１７】
Ｈシフトレジスタ１３は複数のパルス転送段からなり、各段から順次出力する水平方向選択パルスによって駆動対象の画素列（垂直方向に延びる画素配列）を選択可能である。より具体的には、Ｈシフトレジスタ１３は、タイミング発生部３０から供給されるＨスタートパルスＨＳＴをトリガとして動作を開始し、ＨクロックパルスＨＣＫによって定まる時間間隔で水平方向選択パルスを各転送段から順次出力することにより水平方向の画素選択走査を行うようになっている。水平スイッチ部１２における各グループ内の３個の水平スイッチは、Ｈシフトレジスタ１３から水平方向選択パルスが供給されるごとに同時に開状態となり、ビデオ信号ＢＳ，ＲＳ，ＧＳを画素部１１の対応する３つの画素列に並列に供給する。
【００１８】
次に、図３〜図５を参照して、垂直駆動回路１４の構成について説明する。ここで、図３は垂直駆動回路１４の全体構成を表し、図４は図３のＶシフトレジスタ１４１の構成を表し、図５は垂直駆動回路１４における各種信号波形を表す。図３に示したように、垂直駆動回路１４は、Ｖシフトレジスタ１４１と、デコーダ部１４２と、バッファ部１４３とを含んで構成されている。
【００１９】
Ｖシフトレジスタ１４１は複数のパルス転送段１４１−１〜１４１−ｍから構成される。ここで、後述するように、ｍ＝Ｍ／２である。先頭のパルス転送段１４１−１には、図１のタイミング発生部３０から、図５（ｂ）に示したようなＶスタートパルス２ＶＳＴが供給され、また、各パルス転送段１４１−１〜１４１−ｍには、タイミング発生部３０から、図５（ｃ）に示したようなＶクロックパルス２ＶＣＫが並列に入力されるようになっている。各パルス転送段１４１−１〜１４１−ｍは、後述するように、１個のインバータとＶクロックパルスＶＣＫに同期して動作する２個のクロックトインバータとを用いて構成され、相互に直列接続されている。図示のように、１つのパルス転送段は、画素部１１（図２）における２つの画素ラインに対応して設けられている。より具体的には、パルス転送段１４１−１は画素ラインａ1 ，ａ2 に対応し、パルス転送段１４１−２は画素ラインａ3 ，ａ4 に対応し、パルス転送段１４１−ｍは画素ラインａ(M-1) ，ａM に対応している。ここで、画素ラインａj （ｊ＝１〜Ｍ）は、画素部１１における画素ＢＤ（１，ｊ）〜ＧＤ（Ｎ，ｊ）からなる画素配列を示す。このような構成のＶシフトレジスタ１４１は、タイミング発生部３０から供給されるＶスタートパルス２ＶＳＴをトリガとして各転送段間のパルス転送動作を開始し、Ｖクロックパルス２ＶＣＫによって定まる時間間隔で、各パルス転送段１４１−１〜１４１−ｍから、それぞれ、図５（ｄ）〜（ｆ）に示したようなシフトレジスタパルスＳＲＰ１〜ＳＲＰｍ（但し、図５ではＳＲＰ１〜ＳＲＰ３のみを図示）を順次出力するようになっている。ここで、Ｖシフトレジスタ１４１が本発明における「パルス移動手段」に対応し、シフトレジスタパルスＳＲＰ１〜ＳＲＰｍが本発明における「第１のパルス信号」に対応する。
【００２０】
図４に示したように、Ｖシフトレジスタ１４１のパルス転送段１４１−１は、クロックトインバータ１４１１と、クロックトインバータ１４１１の出力端側に設けられたインバータ１４１２およびクロックトインバータ１４１３からなるラッチ回路とを含んでいる。
【００２１】
クロックトインバータ１４１１は、２つのＰＭＯＳ型のトランジスタ１４１１ａ，１４１１ｂと、２つのＮＭＯＳ型のトランジスタ１４１１ｃ，１４１１ｄとを含んで構成されている。トランジスタ１４１１ａ，１４１１ｂのソース・ドレイン間は相互に接続され、また、トランジスタ１４１１ｃ，１４１１ｄのソース・ドレイン間も相互に接続されている。トランジスタ１４１１ｂ，１４１１ｃはＣＭＯＳ構造をなし、両者のゲートにはＶスタートパルス２ＶＳＴが入力されるようになっている。両者のドレインは相互に接続され、出力端として、次段のパルス転送段の入力端（パルス転送段１４１−２のトランジスタ１４１１ｂ，１４１１ｃのゲート）に接続されている。トランジスタ１４１１ａのソースは電源ラインＶDDに接続され、トランジスタ１４１１ｄのソースは接地接続されている。トランジスタ１４１１ａのゲートにはＶクロックパルス２ＶＣＫの反転信号である／２ＶＣＫが入力され、トランジスタ１４１１ｄのゲートにはＶクロックパルス２ＶＣＫが入力されるようになっている。
【００２２】
インバータ１４１２は、ＣＭＯＳ構成のトランジスタ１４１２ａ，１４１２ｂによって構成されており、その入力端（トランジスタ１４１２ａ，１４１２ｂのゲート）は、クロックトインバータ１４１１の出力端（トランジスタ１４１１ｂ，１４１１ｃのドレイン）に接続されている。トランジスタ１４１２ａのソースは電源ラインＶDDに接続され、トランジスタ１４１２ｂのソースは接地接続されている。
【００２３】
クロックトインバータ１４１３は、クロックトインバータ１４１１と同様の構成であり、２つのＰＭＯＳ型のトランジスタ１４１３ａ，１４１３ｂと、２つのＮＭＯＳ型のトランジスタ１４１３ｃ，１４１３ｄとを含んで構成されている。このクロックトインバータ１４１３の入力端（ＣＭＯＳ構成をなすトランジスタ１４１３ｂ，１４１３ｃのゲート）は、インバータ１４１２の出力端（トランジスタ１４１２ａ，１４１２ｂのドレイン）に接続される一方、出力端（トランジスタ１４１３ｂ，１４１３ｃのドレイン）はインバータ１４１２の入力端（トランジスタ１４１２ａ，１４１２ｂのゲート）に接続されている。
【００２４】
このような構成のパルス転送段１４１−１において、クロックトインバータ１４１１の出力端（トランジスタ１４１１ｂ，１４１１ｃのドレイン）からは、シフトレジスタパルスＳＲＰ１が出力され、次段のパルス転送段１４１−２に転送されると共に、デコーダ部１４２に入力されるようになっている。他のパルス転送段１４１−２〜１４１−ｍについても同様の構成である。
【００２５】
再び図３を参照して説明する。この図に示したように、デコーダ部１４２は、画素部１１の各画素ラインａj ごとに設けられたナンドゲート１４２−ｊ（ｊ＝１〜Ｍ）を含んでいる。奇数番目のナンドゲート１４２−１，１４２−３等の各一方の入力端には、図５（ｇ）に示したようなデコードパルスＶＣＫ−Ａが入力され、偶数番目のナンドゲート１４２−２，１４２−４等の各一方の入力端には、図５（ｈ）に示したようなデコードパルスＶＣＫ−Ｂが入力されている。ここで、デコードパルスＶＣＫ−Ａは、Ｖクロックパルス２ＶＣＫの２分の１の周期を有し、デコードパルスＶＣＫ−ＢはデコードパルスＶＣＫ−Ａを反転した波形を有する。
【００２６】
デコーダ部１４２のナンドゲート１４２−（２ｋ−１），１４２−２ｋの各々他の入力端には、Ｖシフトレジスタ１４１のパルス転送段１４１−ｋからのシフトレジスタパルスＳＲＰｋが入力されるようになっている。ここで、ｋ＝１〜ｍである。これらのナンドゲート１４２−（２ｋ−１），１４２−２ｋは、それぞれ、Ｖシフトレジスタ１４１からのシフトレジスタパルスＳＲＰｋをデコードパルスＶＣＫ−ＡまたはＶＣＫ−Ｂによってデコードして出力するようになっている。ここで、デコーダ部１４２が本発明における「個別駆動パルス生成手段」に対応する。
【００２７】
バッファ部１４３は、画素部１１の各画素ラインａj ごとに設けられたバッファ１４３−ｊ（ｊ＝１〜Ｍ）を含んでいる。各バッファ１４３−ｊの入力端はデコーダ部１４２の各ナンドゲート１４２−ｊの出力端に接続され、出力端は画素ラインａj の各画素を構成するＴＦＴ（図示せず）のゲートに接続されている。各バッファ１４３−ｊは、対応するナンドゲート１４２−ｊからの出力信号の論理を反転し、図５（ｉ）〜（ｎ）に示したようなゲートパルスＧＰj を出力する。これらのゲートパルスＧＰj は、画素部１１の対応する画素ラインａj の各画素を構成するＴＦＴトランジスタのゲート（図示せず）に供給され、各画素を駆動するようになっている。各バッファ１４３−ｊはまた、デコーダ部１４２やＶシフトレジスタ１４１が、画素部１１の対応する画素ラインａj における配線容量の影響を受けないうように、両者を隔離する機能をも有している。ここで、ゲートパルスＧＰj が本発明における「第２のパルス信号」に対応する。
【００２８】
次に、以上のような構成のカラー液晶表示装置の動作を説明する。
【００２９】
図３において、タイミング発生部３０（図１）から出力されるＶスタートパルス２ＶＳＴはＶシフトレジスタ１４１のパルス転送段１４１−１に入力され、Ｖクロックパルス２ＶＣＫは、Ｖシフトレジスタ１４の各パルス転送段１４１−１〜１４１−ｍに供給される。これらの各パルス転送段１４１−１〜１４１−ｍは、Ｖクロックパルス２ＶＣＫに従って順次パルス転送を行うと共に、図５（ｄ）〜（ｆ）に示したようなシフトレジスタパルスＳＲＰ１〜ＳＲＰｍを順次出力する。
【００３０】
Ｖシフトレジスタ１４１の各パルス転送段１４１−１〜１４１−ｍから出力されたシフトレジスタパルスＳＲＰ１〜ＳＲＰｍは、デコーダ部１４２におけるそれぞれ対応するナンドゲートの組に入力される。より具体的には、シフトレジスタパルスＳＲＰｋ（ｋ＝１〜ｍ）は、対応するナンドゲート１４２−（２ｋ−１），１４２−２ｋに入力される。これらのナンドゲート１４２−（２ｋ−１），１４２−２ｋは、それぞれ、図５（ｇ），（ｈ）に示したようなデコードパルスＶＣＫ−Ａ，ＶＣＫ−ＢによってシフトレジスタパルスＳＲＰｋをデコードして出力する。ナンドゲート１４２−ｊ（ｊ＝１〜Ｍ）の出力は、それぞれ、バッファ部１４３のバッファ１４３−ｊによってそれぞれ反転されて、図５（ｉ）〜（ｎ）に示したようなゲートパルスＧＰj として出力される。ゲートパルスＧＰj は、画素部１１（図２）の対応する画素ラインａj における各画素のＴＦＴトランジスタのゲートに供給され、各トランジスタをオン（開）状態にする。
【００３１】
一方、タイミング発生部３０（図１）から出力されるＨスタートパルスＨＳＴおよびＨクロックパルスＨＣＫは、Ｈシフトレジスタ１３（図１）に供給される。Ｈシフトレジスタ１３は、これらの信号ＨＳＴ，ＨＣＫに従って水平選択パルスを順次シフトしながら出力する。これらの水平選択パルスは、それぞれ、水平スイッチ部１２の上記した各水平スイッチグループに順次入力され、各グループ内の水平スイッチを開状態にする。その結果、第１列から第Ｎ列までの各画素列が３列ずつ順次選択される。
【００３２】
バッファ部１４３からのゲートパルスＧＰ1 によって画素ラインａ1 が選択されている期間において、Ｈシフトレジスタ１３からの水平選択パルスによって１列から第３列までの画素列が選択されると、信号ドライバ２０から入力されるビデオ信号ＢＳ，ＲＳ，ＧＳは、それぞれ、画素ラインａ1 の画素ＢＤ（１，１）〜ＧＤ（３，１）に供給される。次に、第４列から第６列までの画素列が選択されることにより、ビデオ信号ＢＳ，ＲＳ，ＧＳはそれぞれ画素ＢＤ（４，１）〜ＧＤ（６，１）に供給される。以下同様に、画素ラインａ1 の画素が順次３個ずつ選択され、それぞれに対してビデオ信号ＢＳ，ＲＳ，ＧＳが同時に供給される。
【００３３】
画素ラインａ1 のＮ個の画素に対するビデオ信号の書込みが終了すると、次に、ゲートパルスＧＰ2 によって画素ラインａ2 が選択され、ここでも画素ラインａ1 の場合と同様にして３個ずつの画素が選択されて同時にビデオ信号ＢＳ，ＲＳ，ＧＳが供給される。以下同様にして、１画素ライン分のビデオ信号の供給が終了するたびにゲートパルスＧＰj によって次の画素ラインが選択される。これにより、１フィールド分の処理が終了する。さらに、１フィールド分の処理が終了すると、次のフィールドにおいても同様の処理が行われる。
【００３４】
ここで、図６および図７を参照して、本実施の形態に対する比較例について説明する。
【００３５】
図６は本実施の形態における垂直駆動回路１４に対する比較例としての垂直駆動回路１１４の概略構成を表し、図７は、この垂直駆動回路１１４における各種信号のタイミングを表すものである。なお、これらの図で本実施の形態（図３，図５）と同一構成部分には同一の符号を付す。図６に示したように、本比較例の垂直駆動回路１１４は、Ｖシフトレジスタ１１４１と、デコーダ部１１４２と、バッファ部１４３とを含んで構成されている。Ｖシフトレジスタ１１４１は、上記実施の形態におけるＶシフトレジスタ１４１と異なり、画素部１１の各画素ラインａj に対応して設けられた合計Ｍ（＝２ｍ）個のパルス転送段１１４１−ｊ（ｊ＝１〜Ｍ）から構成されている。ここで、各パルス転送段１１４１−ｊは、上記実施の形態の図４に示した回路と同じ回路構成であり、２つのクロックトインバータと、１つのインバータとによって構成される。Ｖシフトレジスタ１１４１には、図７（ａ）に示したようなＶスタートパルスＶＳＴと、図７（ｂ）に示したようなＶクロックパルスＶＣＫとが入力される。ここで、ＶスタートパルスＶＳＴおよびＶクロックパルスＶＣＫは、それぞれ、上記実施の形態におけるＶスタートパルス２ＶＳＴおよびＶクロックパルス２ＶＣＫのそれぞれ２倍の周波数（２分の１の周期）をもつパルス信号である。
【００３６】
Ｖシフトレジスタ１１４１の各パルス転送段１１４１−ｊは、ＶスタートパルスＶＳＴおよびＶクロックパルスＶＣＫに従ってパルス転送を行い、図７（ｃ）〜（ｈ）に示したようなシフトレジスタパルスＳＲＰｊ″（この図ではＳＰＲ１″〜ＳＰＲ６″のみを図示）を順次出力して、デコーダ部１１４２における対応するナンドゲート１１４２−ｊに供給するようになっている。デコーダ部１１４２の各ナンドゲート１１４２−ｊは、対応するパルス転送段１１４１−ｊから供給されたシフトレジスタパルスＳＲＰｊ″を、前段のパルス転送段１１４１−（ｊ−１）からのシフトレジスタパルスＳＲＰ（ｊ−１）″によってデコードして出力する。バッファ部１４３の各バッファ１４３−ｊは、対応するナンドゲート１１４２−ｊの出力を反転して、図７（ｉ）〜（ｎ）に示したようなゲートパルスＧＰj を出力し、対応する画素ラインａj に供給するようになっている。
【００３７】
このように、本比較例の垂直駆動回路１１４においては、Ｖシフトレジスタ１１４１のパルス転送段１１４１−ｊが画素部１１の各画素ラインａj ごとに一つずつ設けられている。ここで、１つのパルス転送段１１４１−ｊを構成するには、図４に示したように、合計１０個のトランジスタ素子が必要であり、各トランジスタ素子間の複雑な配線が必要であることをも考慮すると、かなりの配置面積が必要となる。このため、画素部１１の高精細化のために画素ピッチを狭くしようとした場合には、１画素ラインａj の幅に対応する領域に１つのパルス転送段１１４１−ｊを形成することが困難となる。例えば、Ｖシフトレジスタ１１４１の１つの転送段を図４のように構成する場合には、１画素ライン分の幅領域に１０個のトランジスタ素子を配置しなければならず、画素ピッチの狭小化に対応することができない。また、仮に、製造技術の向上に伴うトランジスタ素子のサイズや配線幅の縮小化によって、１画素ラインａj 分の幅領域に１つのパルス転送段１１４１−ｊを形成できたとしても、それを製造コストのアップを伴わずに実現することは困難であり、また、画素部１１の画素ラインａj の数（＝ｊ）を増加した場合には、それに比例してＶシフトレジスタ１１４１の構成に必要な素子数が増加するため、垂直駆動回路１１４の消費電流が著しく増大することは必至である。さらに、Ｖシフトレジスタ１１４１を動作させるためのＶスタートパルスＶＳＴやＶクロックパルスＶＣＫは、図７（ａ），（ｂ）に示したように、周波数の高いパルス信号であることから、Ｖシフトレジスタ１１４１の各パルス転送段を構成するトランジスタ素子は周波数特性がよいものでなければならず、この点でも構成上の難点がある。
【００３８】
これに対して、本実施の形態の垂直駆動回路１４によれば、２つの画素ラインに対して１つのパルス転送段を対応付けると共に、各パルス転送段からの出力をデコーダ部１４２によりデコードして各画素ラインａj 用のゲートパルスＧＰj を作成するようにしたので、画素ラインの総数が同じであれば、Ｖシフトレジスタ１４１の構成段数を上記比較例の２分の１とすることができる。したがって、Ｖシフトレジスタ１４１の構成に必要な全素子数を約２分の１にすることが可能であり、消費電流を低減することができる。また、２画素ライン分の幅領域に１つのパルス転送段を形成すればよいことから、画素ピッチを相当狭くしたとしても、現状の製造技術レベルでも十分対応可能である。例えば、Ｖシフトレジスタ１４１の１つの転送段を図４のように構成する場合には、２画素ライン分の幅領域に１０個のトランジスタ素子を配置すればよく、１画素ライン当たりにすれば５個のトランジスタ素子を配置すればよいこととなるので、製造が容易である。さらに、Ｖシフトレジスタ１４１を動作させるためのＶスタートパルス２ＶＳＴやＶクロックパルス２ＶＣＫは、図５（ｂ），（ｃ）に示したように、比較例で用いたＶスタートパルスＶＳＴおよびＶクロックパルスＶＣＫ（図７（ａ），（ｂ））と比べて周波数の低いパルス信号であることから、Ｖシフトレジスタ１４１の各パルス転送段を構成するトランジスタ素子は、周波数特性がさほどよいものである必要はなく、通常の特性の素子を使用可能である。
【００３９】
なお、本実施の形態では、図３に示したように、デコーダ部１４２で用いるデコードパルスＶＣＫ−Ａ，ＶＣＫ−Ｂを、各ナンドゲートごとに交互にＡ，Ｂ，Ａ，Ｂ…という順序で割り当てて入力するようにしたが、このほか、図８および図９に示したように、上記のデコードパルスＶＣＫ−Ａ，ＶＣＫ−Ｂの２倍のパルス幅（２分の１の周波数）をもつデコードパルス２ＶＣＫ−Ａ，２ＶＣＫ−Ｂを用意して、これらをデコーダ部１４２′の各ナンドゲートにＡ，Ｂ，Ｂ，Ａ，Ａ，Ｂ，…という順序で割り当てて入力するように変形してもよい。なお、図８は本実施の形態の変形例としての垂直駆動回路１４′の概略構成を表し、図９は図８の垂直駆動回路１４′の各種信号のタイミングを表すものである。これらの図で、上記の図３および図５に示した各構成部分と同一の構成部分には同一の符号を付し、説明を省略する。図８および図９のうち、デコードパルス２ＶＣＫ−Ａ，２ＶＣＫ−Ｂの波形、およびデコーダ部１４２′の各ナンドゲートに対するデコードパルス２ＶＣＫ−Ａ，２ＶＣＫ−Ｂの割り当て方法以外の部分の構成は図３および図５と同様である。
【００４０】
図８に示した変形例では、図９（ｇ），（ｈ）に示したように、デコードパルス２ＶＣＫ−Ａ，２ＶＣＫ−Ｂの周波数を上記の図５（ｇ），（ｈ）に示したデコードパルスＶＣＫ−Ａ，ＶＣＫ−Ｂの２分の１にすることができるので、ナンドゲートを構成するトランジスタ素子は高い周波数特性をもつものでなくてもよい。また、図５の例では、例えばタイミングｔ１，ｔ２において、シフトレジスタパルスＳＲＰ１とデコードパルスＶＣＫ−ＡまたはＶＣＫ−Ｂとが同じタイミングで立ち上がり、または立ち下がっているので、両者間にわずかなタイミングずれがあると、ナンドゲートの出力にヒゲ状のスパイクノイズが発生する可能性がある。これに対して、図８に示した変形例では、図９（ｇ），（ｈ）に示したように、シフトレジスタパルスＳＲＰ１とデコードパルス２ＶＣＫ−Ａまたは２ＶＣＫ−Ｂとの間で、立ち上がりおよび立ち下がりのタイミングは完全に異なっているので、上記のようなヒゲ状のスパイクノイズが発生するおそれは少ない。
【００４１】
［第２の実施の形態］
次に、本発明の第２の実施の形態を説明する。
【００４２】
図１０は本発明の第２の実施の形態に係るカラー液晶表示装置に適用される垂直駆動回路２４の概略構成を表すものである。この垂直駆動回路２４は、上記第１の実施の形態（図３）におけるＶシフトレジスタ１４１およびデコーダ部１４２に代えて、それぞれ、Ｖシフトレジスタ２４１およびデコーダ部２４２を備えるようにしたものである。このＶシフトレジスタ２４１は、ｍ1 個のパルス転送段２４１−１〜２４１−ｍ1 を含んで構成されている。各パルス転送段２４１−ｐ（ここで、ｐ＝１〜ｍ1 ）は、画素部１１（図２）の３つの画素ラインａ(3p-2), ａ(3p-1)，ａ(3p)に対して１つずつ設けられており、その内部構成は図４に示したものと同様である。ここで、ｍ1 ＝Ｍ／３（＝自然数）である。
【００４３】
Ｖシフトレジスタ２４１には、図１１（ｂ），（ｃ）に示したように、上記比較例（図７（ａ），（ｂ））におけるＶスタートパルスＶＳＴおよびＶクロックパルスＶＣＫのそれぞれ３倍の周期をもつＶスタートパルス３ＶＳＴおよびＶクロックパルス３ＶＣＫがタイミング発生部３０（図１）から供給されるようになっている。ここで、Ｖシフトレジスタ２４１が本発明における「パルス移動手段」に対応する。
【００４４】
デコーダ部２４２には、図１１（ｇ）〜（ｉ）に示したような互いに異なる位相をもつ３つのデコードパルスＶＣＫ−Ａ′，ＶＣＫ−Ｂ′，ＶＣＫ−Ｃ′が供給され、それぞれ、パルス転送段２４１−ｐに対応するナンドゲート２４２−（３ｐ−２），２４２−（３ｐ−１），２４２−３ｐの各々一方の入力端に入力されるようになっている。これらの３個のナンドゲート２４２−（３ｐ−２），２４２−（３ｐ−１），２４２−３ｐの各々他の入力端には、Ｖシフトレジスタ２４１のパルス転送段２４１−ｐからシフトレジスタパルスＳＲＰｐが入力されるようになっている。デコーダ部２４２が本発明における「駆動パルス生成手段」に対応し、シフトレジスタパルスＳＲＰｐが本発明における「第１のパルス信号」に対応する。
【００４５】
次に、このような構成の垂直駆動回路２４の動作を説明する。図１のタイミング配線部３０から出力されたＶスタートパルス３ＶＳＴはＶシフトレジスタ２４１のパルス転送段２４１−１に入力され、Ｖクロックパルス３ＶＣＫは、Ｖシフトレジスタ２４の各パルス転送段２４１−１〜２４１−ｍ1 に供給される。これらの各パルス転送段２４１−１〜２４１−ｍ1 は、Ｖクロックパルス３ＶＣＫに従って順次パルス転送を行うと共に、図１１（ｄ）〜（ｆ）に示したようなシフトレジスタパルスＳＲＰ１′〜ＳＲＰｍ1 ′を順次出力する。これらのシフトレジスタパルスＳＲＰ１〜ＳＲＰｍ1 ′は、デコーダ部２４２におけるそれぞれ対応する３個のナンドゲートの組に入力される。より具体的には、シフトレジスタパルスＳＲＰｐは３つのナンドゲート２４２−（３ｐ−２），２４２−（３ｐ−１），２４２−３ｐに入力される。但し、ｐ＝１〜ｍ1 である。ナンドゲート２４２−（３ｐ−２），２４２−（３ｐ−１），２４２−３ｐは、デコードパルスＶＣＫ−Ａ，ＶＣＫ−Ｂ，ＶＣＫ−ＣによってシフトレジスタパルスＳＲＰｐをそれぞれデコードして出力する。これらの各ナンドゲートの出力は、それぞれ、バッファ部１４３のバッファ１４３−ｊによってそれぞれ反転されて、図１１（ｊ）〜（ｏ）に示したようなゲートパルスＧＰj として出力される。ゲートパルスＧＰj は、画素部１１（図２）の対応する画素ラインａj における各画素のＴＦＴトランジスタのゲートに供給され、各トランジスタをオン（開）状態にする。
【００４６】
このように、本実施の形態によれば、画素部１１の３つの画素ラインに対して１つのパルス転送段２４１−ｐを設けるようにしたので、Ｖシフトレジスタ２４１の構成に必要な全素子数を上記第１の実施の形態の場合よりもさらに低減することができ、消費電流をより一層低減することができる。また、３画素ライン分の幅領域に１つのパルス転送段を形成すればよいことから、画素ピッチをさらに狭くしたとしても、現状の製造技術レベルで十分対応可能である。例えば、Ｖシフトレジスタ２４１の１つの転送段を図４のように構成する場合には、３画素ライン分の幅領域に１０個のトランジスタ素子を配置すればよく、１画素ライン当たりにすれば約３個のトランジスタ素子を配置すればよいことから、製造がさらに容易になる。さらに、Ｖシフトレジスタ２４１を動作させるためのＶスタートパルス３ＶＳＴやＶクロックパルス３ＶＣＫは、図１１（ｂ），（ｃ）に示したように、第１の実施の形態で用いるＶスタートパルス２ＶＳＴおよびＶクロックパルス２ＶＣＫと比べてより周波数の低いパルス信号であることから、Ｖシフトレジスタ２４１の各パルス転送段を構成するトランジスタ素子に要求される周波数特性は、より緩やかなものとなる。
【００４７】
［第３の実施の形態］
次に、本発明の第３の実施の形態を説明する。
【００４８】
図１２は本発明の第３の実施の形態に係るカラー液晶表示装置に適用される垂直駆動回路３４の概略構成を表すものである。この垂直駆動回路３４は、上記第１の実施の形態（図３）で示した垂直駆動回路１４におけるＶシフトレジスタ１４１とデコーダ部１４２との間に、入力されるビデオ信号の種類（規格）に応じて画素部１１（図２）の表示領域をαまたはβに切り替えることを可能とする表示切替回路３４４を設けたものである。ここで、表示領域αは、画素部１１のすべての画素ラインａ1 〜ａM を表示可能にしたときの表示領域であり、表示領域βは、画素部１１の画素ラインのうちａ2 〜ａ(M-1) のみを表示可能にしたときの表示領域である。
【００４９】
図１２に示したように、表示切替回路３４４はｍ個（但し、ｍ＝Ｍ／２）のナンドゲート３４４−１〜３４４−ｍを含んでいる。各ナンドゲート３４４−ｋ（但し、ｋ＝１〜ｍ）は、Ｖシフトレジスタ１４１の各パルス転送段１４１−ｋから出力されたシフトレジスタパルスＳＲＰｋを後段のデコーダ部１４２における対応するナンドゲート１４２−（２ｋ−１），１４２−２ｋに入力するか否かを制御するためのものである。ナンドゲート３４４−ｋの各々一方の入力端には、シフトレジスタパルスＳＲＰｋが入力されるようになっている。また、最上段のナンドゲート３４４−１および最下段のナンドゲート３４４−ｍにおける各々他の入力端には、“Ｈ”または“Ｌ”レベルのいずれかの値をとる表示切替信号ＳＷが入力されている。その他のナンドゲート３４４−２〜３４４−（ｍ−１）における各々他の入力端はすべて“Ｈ”レベルに固定されている。その他の構成は図３の場合と同様である。ここで、表示切替回路３４４が本発明における「切替手段」に対応する。
【００５０】
次に、以上のような構成の垂直駆動回路３４の動作を説明する。
【００５１】
まず、表示領域αを表示可能にする場合には、表示切替回路３４４のナンドゲート３４４−１および３４４−ｍに入力する表示切替信号ＳＷを“Ｈ”レベルにする。これにより、すべてのナンドゲート３４４−１〜３４４−ｍがゲート開状態となり、Ｖシフトレジスタ１４１からのすべてのシフトレジスタパルスＳＲＰ１〜ＳＲＰｍがそのままデコーダ部１４２に供給される。すなわち、この状態では、図３に示した回路状態と等しくなる。画素部１１の全体である表示領域αがアクティブ状態となり、ここに画像が表示されることとなる。
【００５２】
一方、表示領域βを表示可能にする場合には、表示切替回路３４４のナンドゲート３４４−１および３４４−ｍに入力する表示切替信号ＳＷを“Ｌ”レベルにする。これにより、ナンドゲート３４４−２〜３４４−（ｍ−１）のみがゲート開状態となり、ナンドゲート３４４−１および３４４−ｍはゲート閉状態となる。このため、Ｖシフトレジスタ１４１からのシフトレジスタパルスＳＲＰ１およびＳＲＰｍはデコーダ部１４２に供給されず、シフトレジスタパルスＳＲＰ２〜ＳＲＰ（ｍ−１）のみがそのままデコーダ部１４２に供給される。これにより、画素部１１のうちの表示領域βのみがアクティブ状態となり、ここに画像が表示される。このとき、画素ラインａ1 ，ａ2 ，ａ(M-1) ，ａM の部分は黒く表示される。
【００５３】
ここで、本実施の形態の垂直駆動回路３４に対する比較例を説明する。
【００５４】
図１３は本実施の形態に対する比較例としての垂直駆動回路２１４の概略構成を表すものである。この垂直駆動回路２１４は、上記第１の実施の形態に対する比較例（図６）で示した垂直駆動回路１１４におけるデコーダ部１１４２とバッファ部１４３との間に、入力されるビデオ信号の種類（規格）に応じて画素部１１（図２）の表示領域をαまたはβに切り替えることを可能とする表示切替回路１１４４を設けたものである。ここで、表示領域α，βは、本実施の形態（図１２）におけるものと同じである。表示切替回路１１４４は、Ｍ個のナンドゲート１１４４−１〜１１４４−Ｍから構成されている。これらの各ナンドゲート１１４４−ｊ（ｊ＝１〜Ｍ）は画素部１１の各画素ラインａj に対応して設けられている。
【００５５】
各ナンドゲート１１４４−ｊは、デコーダ部１１４２の各ナンドゲート１１４２−ｊの出力を後段のバッファ部１４３における対応するバッファ１４３−ｊに入力するか否かを制御するためのものである。ナンドゲート１１４４−ｊの各々一方の入力端には、デコーダ部１１４２の各ナンドゲート１１４２−ｊの出力が入力されるようになっている。また、最上段側の２つのナンドゲート１１４４−１，１１４４−２および最下段側の２つのナンドゲート１１４４−（Ｍ−１），１１４４−Ｍにおける各々他の入力端には、“Ｈ”または“Ｌ”レベルのいずれかの値をとる表示切替信号ＳＷが入力されるようになっている。その他のナンドゲート１１４４−３〜１１４４−（Ｍ−２）における各々他の入力端はすべて“Ｈ”レベルに固定されている。その他の構成は図６の場合と同様である。
【００５６】
このような構成の垂直駆動回路２１４において、表示領域αを表示可能にするには、表示切替信号ＳＷを“Ｈ”レベルにすることにより、すべてのナンドゲート１１４４−１〜１１４４−Ｍをゲート開状態にする。これにより、デコーダ部１１４２のすべてのナンドゲート１１４２−ｊの出力がそのままバッファ部１４３の対応するバッファ１４３−ｊに供給され、表示領域αがアクティブ状態となる。一方、表示領域βを表示可能にするには、表示切替信号ＳＷを“Ｌ”レベルにすることにより、最上段側の２つのナンドゲート１１４４−１，１１４４−２および最下段側の２つのナンドゲート１１４４−（Ｍ−１），１１４４−Ｍのみをゲート閉状態にする。これにより、これらの４つのナンドゲートの出力はバッファ部１４３に供給されず、ナンドゲート１１４４−３〜１１４４−（Ｍ−２）の出力のみがそのままデコーダ部１４２に供給される。これにより、表示領域βのみがアクティブ状態となり、画素ラインａ1 ，ａ２，ａ(M-1) ，ａM の部分は黒く表示される。
【００５７】
このように、本比較例では、画素部１１における各画素ラインａj ごとに表示切替用のナンドゲート１１４４−１〜１１４４−Ｍを設けて表示切替回路１１４４を構成しているので、画素ピッチの狭小化に対応することが上記第１の実施の形態の場合（図３）よりもさらに困難になる。また、表示切替回路１１４４の構成に必要なトランジスタ素子数が多いので、消費電流が大きくなる。
【００５８】
これに対して、本実施の形態の垂直駆動回路３４（図１２）では、２つの画素ラインａ(2k-1)，ａ(2k)の組に対して設けたパルス転送段１４１−ｋに対応してナンドゲート１１４４−ｋを設けることで表示切替回路３４４を構成しているので、画素ピッチの狭小化に対応することが上記比較例（図１３）の場合よりもさらに容易となる。また、表示切替回路３４４の構成に必要なトランジスタ素子数を削減できるので、上記比較例（図１３）の場合よりも消費電流をさらに低減することができる。
【００５９】
なお、本実施の形態では、上記第１の実施の形態に示した垂直駆動回路１４に表示切替回路３４４を設けて表示領域の切り替えを行う場合について説明したが、上記第２の実施の形態に示した垂直駆動回路２４（図１０）に表示切替回路を設けて表示領域の切り替えを行うことも可能である。この場合には、図１０の垂直駆動回路２４において、Ｖシフトレジスタ２４１のパルス転送段１４１−ｐ（ｐ＝１〜ｍ1 ）とデコーダ部２４２の対応する３個のナンドゲート２４２−（３ｐ−２），２４２−（３ｐ−１），２４２−３ｐの組との間に１つのナンドゲートを設けるようにして表示切替回路を構成すればよい。
【００６０】
以上、いくつかの実施の形態を挙げて本発明を説明したが、本発明はこれらの実施の形態に限定されるものではなく、種々変形可能である。例えば、上記第２の実施の形態では、画素部１１における３つの画素ラインａ(3p-2)，ａ(3p-1)，ａ(3p)に対して１つのパルス転送段２４１−ｐを設けるようにしてＶシフトレジスタ２４１を構成するようにしたが、４つ以上の画素ラインに対して１つのパルス転送段を設けるようにしてもよい。
【００６１】
また、上記各実施の形態では、水平方向の駆動方式を３ドット同時サンプリングとしたが、これに限らず、より多くの画素を同時駆動する多ドット同時サンプリングとしてもよく、あるいは１画素ずつ駆動するようにしてもよい。
【００６２】
また、本実施の形態ではカラー液晶表示装置について説明したが、本発明はこれに限定されるものではなく、白黒の液晶表示装置にも適用できる。さらに、液晶表示装置以外の表示装置、例えばＰＤ（プラズマディスプレイ）素子やＥＬ（エレクトロ・ルミネセンス）素子、さらには、ＦＥＤ(Field Emission Display)素子等にも適用可能である。なお、このＦＥＤとは、多数の微細な電子源を陰極としてアレイ上に配列すると共に、各陰極に高電圧を印加することにより各陰極から電子を引き出し、これらの電子を陽極に塗布した蛍光体に衝突させて発光させるようにしたものである。
【００６３】
【発明の効果】
以上説明したように、請求項１もしくは請求項２記載の画素駆動回路、または請求項３もしくは請求項４記載の駆動回路一体型画素集積装置によれば、画素配列の２つの方向のうちの１の方向に沿って第１のパルス信号を複数画素分ずつ移動させながら順次出力するパルス移動手段を設けると共に、個別駆動パルス生成手段によって、第１のパルス信号を基に、２つの方向のうちの他の方向に沿って配列された画素列を個別に駆動するためのより多くの第２のパルス信号を生成するようにしたので、パルス移動手段を構成する回路素子の数を削減することができる。このため、パルス移動手段を構成する回路の配置面積を縮小できると共に、消費電力の低減が可能になる。また、パルス移動手段は、複数の画素列に対応して１つの第１のパルス信号を出力すればよいので、このパルス移動手段を構成する回路素子に対する周波数特性の要求を緩和することができる。
また、パルス移動手段と個別駆動パルス生成手段との間に、パルス移動手段から個別駆動パルス生成手段に対して第１のパルス信号を供給するか否かを切替可能な切替手段を備えるように構成したので、従来のように個別駆動パルス生成手段と各画素列との間に切替手段を設けるように構成した場合と比べると、切替回路の構成素子数を削減することができ、回路サイズがよりコンパクトとなる。したがって、切替回路によって全画素のうちの一部を選択的に非駆動状態にして表示領域サイズを切り替え可能にする場合においても、従来に比べて消費電力を低減でき、また、画素ピッチの狭小化に対応することができるという効果がある。
【００６４】
特に、請求項３または請求項４記載の駆動回路一体型画素集積装置によれば、パルス移動手段を構成する回路素子の数を削減して回路面積を縮小できることから、画素部とその駆動回路とを一体に構成する場合であっても、画素ピッチの狭小化に十分対応することができるという効果がある。
【００６５】
また、請求項２記載の画素駆動回路または請求項４記載の駆動回路一体型画素集積装置によれば、切替手段が表示切替信号に応じて、他の方向に沿って配列された画素列のうちの一部の画素列が選択的に非駆動状態となるように第１のパルス信号を供給するか否かの切替を行うように構成したので、表示領域サイズを切り替えることが可能となる。
【図面の簡単な説明】
【図１】本発明の第１の実施の形態に係るカラー液晶表示装置の概略構成を表すブロック図である。
【図２】図１における液晶パネルの概略構成を表す図である。
【図３】図１における垂直駆動回路の概略構成を表す回路図である。
【図４】図３におけるシフトレジスタの各転送段の構成を表す回路図である。
【図５】図３の垂直駆動回路の動作を説明するためのタイミング図である。
【図６】本発明の第１の実施の形態に対する比較例としての垂直駆動回路の概略構成を表す回路図である。
【図７】図６の垂直駆動回路の動作を説明するためのタイミング図である。
【図８】図３の垂直駆動回路に対する変形例を表す回路図である。
【図９】図８の垂直駆動回路の動作を説明するためのタイミング図である。
【図１０】本発明の第２の実施の形態に係るカラー液晶表示装置に用いられる垂直駆動回路の概略構成を表すブロック図である。
【図１１】図１０の垂直駆動回路の動作を説明するためのタイミング図である。
【図１２】本発明の第３の実施の形態に係るカラー液晶表示装置に用いられる垂直駆動回路の概略構成を表すブロック図である。
【図１３】本発明の第３の実施の形態に対する比較例としての垂直駆動回路の概略構成を表す回路図である。
【符号の説明】
１０…液晶パネル、１１…画素部、１２…水平スイッチ部、１３…Ｈシフトレジスタ、１４，１４′，２４，３４…垂直駆動回路、１４１，２４１…Ｖシフトレジスタ、１４１−１〜１４１−ｍ，２４１−１〜２４１−ｍ1 …パルス転送段、１４２、１４２′，２４２…デコーダ部、１４３…バッファ部、３４４…表示切替回路、ａ1 〜ａM …画素ライン、ＢＳ，ＲＳ，ＧＳ…ビデオ信号、２ＶＳＴ，３ＶＳＴ…Ｖスタートパルス、２ＶＣＫ，３ＶＣＫ…Ｖクロックパルス、ＶＣＫ−Ａ，ＶＣＫ−Ｂ，２ＶＣＫ−Ａ，２ＶＣＫ−Ｂ，ＶＣＫ−Ａ′，ＶＣＫ−Ｂ′，ＶＣＫ−Ｃ′…デコードパルス、ＳＲＰ１〜ＳＲＰｍ，ＳＲＰ１〜ＳＲＰｍ1 …シフトレジスタパルス、ＧＰ1 〜ＧＰM …ゲートパルス。
【図１】
0003972270.tif 000002
【図２】
0003972270.tif 000003
【図３】
0003972270.tif 000004
【図４】
0003972270.tif 000005
【図５】
0003972270.tif 000006
【図６】
0003972270.tif 000007
【図７】
0003972270.tif 000008
【図８】
0003972270.tif 000009
【図９】
0003972270.tif 000010
【図１０】
0003972270.tif 000011
【図１１】
0003972270.tif 000012
【図１２】
0003972270.tif 000013
【図１３】
0003972270.tif 000014